(57)【要約】【課題】部屋の空調環境を乱すことなく、キャビネット内の臭いを良好に除くことのできる給排気装置を提供する。【解決手段】収納空間１ａを有するキャビネット１の内部と屋外とを連通する給気路３と、この給気路の途中に設けられ、給気路を通じて屋外からキャビネット内部へ給気する給気ダクト７内に設けられた給気ファンと、キャビネット１の内部と屋外とを連通する排気路４と、この排気路の途中に設けられ、排気路を通じてキャビネット内部から屋外へ排気する排気ダクト８内に設けられた排気ファンとを備え、給気ファンと排気ファンがファン収容ユニット２内に設けられている。【選択図】図２
2009148437.tif 000002
【特許請求の範囲】
【請求項１】
内部に収納空間を有するキャビネット内部と屋外とを連通する給気路と、
該給気路の途中に設けられ、該給気路を通じて屋外からキャビネット内部へ給気する給気ファンと、
キャビネット内部と屋外とを連通する排気路と、
該排気路の途中に設けられ、該排気路を通じてキャビネット内部から屋外へ排気する排気ファンと、
を備えたことを特徴とする給排気装置。
【請求項２】
前記給気ファンと排気ファンがキャビネット内に設けられたファン収容ユニット内に設置されていることを特徴とする請求項１に記載の給排気装置。
【請求項３】
キャビネット内部へ向かって給気を吹き出す前記給気路の吹出口と、キャビネット内部の空気を吸い込む前記排気路の吸込口は、前記ファン収容ユニットの異なる面に設けられていることを特徴とする請求項２に記載の給排気装置。
【発明の詳細な説明】
【技術分野】
【０００１】
本発明は、キャビネット内の臭いを効率良く除くことのできる給排気装置に関するものである。
【背景技術】
【０００２】
従来、特許文献１に開示されているように、生ごみ処理器内と室外とを空気循環させて、生ごみ処理器内の臭いを除去するように構成した流し台が存在する。
【特許文献１】特開平６−２３３７１２号公報
【発明の開示】
【発明が解決しようとする課題】
【０００３】
上記従来の流し台の構造では、キャビネット内には空気が漏れないように構成して、生ごみ処理器内のみで空気を循環させているため、生ごみ処理器内の臭いは取ることができても、キャビネット内の臭いを除去することはできないものであった。
【課題を解決するための手段】
【０００４】
本発明は、部屋の空調環境を乱すことなく、キャビネット内の臭いを効率良く除くことのできる給排気装置を提供することを目的の１つとし、この目的の少なくとも一部を達成するために以下の手段を採った。
本発明の給排気装置は、内部に収納空間を有するキャビネット内部と屋外とを連通する給気路と、該給気路の途中に設けられ、該給気路を通じて屋外からキャビネット内部へ給気する給気ファンと、キャビネット内部と屋外とを連通する排気路と、該排気路の途中に設けられ、該排気路を通じてキャビネット内部から屋外へ排気する排気ファンと、を備えたことを要旨とする。
【発明の効果】
【０００５】
給気ファンと排気ファンを同時に運転し、キャビネット内部と屋外間で空気を循環させて、キャビネット内の換気を行い、キャビネット内の臭いを効率良く除くことができる。
また、キャビネット内のみで空気が循環し、キャビネットが設置されている部屋の空気は吸い込まないために、部屋の空調環境を乱すことがない。
【０００６】
また、本発明の給排気装置において、前記給気ファンと排気ファンがキャビネット内に設けられたファン収容ユニット内に設置されている構成とすることができる。
こうすれば、給気ファンと排気ファンをファン収容ユニット内に設けて、このファン収容ユニットをキャビネット内にコンパクトに設置することができるものとなる。
【０００７】
また、本発明の給排気装置において、キャビネット内部へ向かって給気を吹き出す前記給気路の吹出口と、キャビネット内部の空気を吸い込む前記排気路の吸込口は、前記ファン収容ユニットの異なる面に設けられている構成とすることができる。
こうすれば、吹出口から吹き出された給気流が吸込口へ直接流れるのを防ぐことができ、良好にキャビネット内で空気を循環させ良好な循環流を得ることができものとなる。
【発明を実施するための最良の形態】
【０００８】
次に、本発明を実施するための最良の形態を実施例を用いて説明する。
図１は、部屋（屋内）に設置されたキッチンキャビネットの概略構成図である。また図２は、キッチンキャビネットの扉を開けた状態の正面拡大構成図である。
図において、屋内ＨＩの床面上には、上面にコンロ１ｂを備えたキッチンキャビネット１が設置され、このキッチンキャビネット１は内部に収納空間１ａが形成されており、前面側に開閉可能に扉１ｃ，１ｃが設けられたものであり、収納空間１ａ内の奥側のキッチンキャビネット１の背板には、同時給排気装置を構成するファン収容ユニット２が設置されている。
【０００９】
このファン収容ユニット２内には、給気路の一部を形成する給気ダクト７と、排気路の一部を形成する排気ダクト８が設けられており、ファン収容ユニット２の裏側には、給気路の一部を形成する給気ホース３と、排気路の一部を形成する排気ホース４が接続されており、給気ホース３及び排気ホース４は屋外ＨＯに開口され屋外ＨＯと連通されている。
また、図１において、キッチンキャビネット１の上方には換気扇６が設けられている。なお、キッチンキャビネット１の収納空間１ａ内には、臭いの元となる液体等を入れたタンク５が置かれている。
【００１０】
次に、前記ファン収容ユニット２の拡大正面透視図を図３に示し、また図４では、ファン収容ユニットの側面拡大透視図を示す。
ファン収容ユニット２は、上板２ａと底板２ｂが平行状をなし、左右両端側に側板２ｃ，２ｄが設けられ、また、背側には背板２ｅが設けられ、前面側には前板２ｆが設けられて、密閉された箱状に形成されており、中央部には、上板２ａと底板２ｂ間に立設された仕切板２ｇが設けられている。この仕切板２ｇにより、ファン収容ユニット２内は図示左側の給気側室Ｓａと図示右側の排気側室Ｓｂに区画されている。給気側室Ｓａは給気路の一部を形成しており、排気側室Ｓｂは排気路の一部を形成している。
【００１１】
給気側室Ｓａの上面の上板２ａには吹出口２ｈが開口されており、また、排気側室Ｓｂの前板２ｆには吸込口２ｉが開口されている。
また、ファン収容ユニット２の背板２ｅの裏側には、キッチンキャビネット１の背板に固定する固定部９の中央に鞘管１０が貫通状に通されており、この鞘管１０は、図３に示すように、仕切板２ｇの裏側位置に配置され、この鞘管１０内に前記給気ホース３と排気ホース４が配置されている。
【００１２】
即ち、図５に拡大して示すように、鞘管１０内に給気ホース３と排気ホース４が配管されたペアチューブが用いられており、このペアチューブを用いることで給気ホース３と排気ホース４の配管施工が容易となり、ファン収容ユニット２をキッチンキャビネット１の収納空間１ａ内に後付け施工できるように構成されている。
鞘管１０内に配管された給気ホース３の先端は、ファン収容ユニット２内の給気側室Ｓａに臨ませて開口され、排気ホース４の先端は、ファン収容ユニット２内の排気側室Ｓｂに臨ませて開口されている。
【００１３】
給気側室Ｓａ内には給気ダクト７が設けられており、この給気ダクト７の上端は吹出口２ｈ内に差込み状にして斜め上方向きに開口されている。この給気ダクト７内には、モーター７ｂで回転されるシロッコファンで構成された給気ファン７ａが配置されている。
なお、この給気ダクト７の給気ファン７ａの部分は、背板２ｅ側に向いて開口されている。
従って、給気側室Ｓａでは、給気ファン７ａが回転されることにより、給気ホース３から外気が給気側室Ｓａ内に負圧で吸い込まれ、給気ダクト７の裏側から給気ファン７ａを通って上方の吹出口２ｈからキッチンキャビネット１の収納空間１ａ内に吹き出されるものである。即ち、給気ホース３と給気側室Ｓａと給気ダクト７で給気路Ｒａが形成されている。
【００１４】
次に、排気側室Ｓｂ内には排気ダクト８が設けられており、この排気ダクト８は上端がファン収容ユニット２の上板２ａの下方で開口されており、下方側には、前板２ｆに形成された吸込口２ｉと整合する前向きの開口が形成され、この吸込口２ｉの位置にはモーター８ｂで回転されるシロッコファンで構成された排気ファン８ａが配置されている。
この排気ファン８ａが回転されることにより、前板２ｆ側の吸込口２ｉからキッチンキャビネット１の収納空間１ａ内の空気が排気ダクト８内に吸い込まれて、排気ダクト８の上端から排気側室Ｓｂ内に排出され、この排出された空気は排気ホース４を通って屋外ＨＯへ押し出されるものである。即ち、排気ホース４と排気側室Ｓｂと排気ダクト８で排気路Ｒｂが形成されている。
【００１５】
このファン収容ユニット２内に設けられた給気ファン７ａ及び排気ファン８ａは、同時に運転されるものであり、給気ファン７ａと排気ファン８ａが同時に回転されると、屋外ＨＯから外気が給気ホース３を通り給気側室Ｓａ内に流入されて給気ダクト７内に吸い込まれ、上面の吹出口２ｈから外気がキッチンキャビネット１の収納空間１ａ内に斜め上方側へ向かって吹き出され、吹き出された外気は収納空間１ａの内周面に沿って循環されて、ファン収容ユニット２の前板２ｆに開口されている吸込口２ｉから排気ダクト８を通り排気側室Ｓｂ内に噴出されて、排気ホース４内に押し出されて排気される。
【００１６】
なお、吹出口２ｈと吸込口２ｉは、ファン収容ユニット２の離れた異なる面に形成されているため、吹出口２ｈから吹き出された外気が吸込口２ｉへ直接流れることはなく、良好にキッチンキャビネット１の収納空間１ａ内で循環流が形成されるように構成されており、キッチンキャビネット内で良好な循環流が得られて、キッチンキャビネット内の臭いを良好に屋外へ排出させて臭いを除くことができるものとなる。
なお、循環流はあくまでキッチンキャビネット１の収納空間１ａ内で循環されるため、部屋ＨＩ内の空気を吸い込むことはないため、部屋ＨＩ内の空調を乱すことはなく、部屋ＨＩ内の空調に影響を及ぼすことがない。即ち、部屋ＨＩ内の暖気または冷気が屋外ＨＯへ逃げることはない。
【００１７】
なお、本例では、２個のファン７ａ，８ａをそれぞれのモーター７ｂ，８ｂで回転させるように構成しているが、給気ファン７ａ及び排気ファン８ａを１個の両軸モーターで回転させるように構成しても良い。
【００１８】
また、本例では、キッチンキャビネット１の収納空間１ａ内に同時給排気装置を構成するファン収容ユニット２を設置して、キッチンキャビネット１に設けられているディスポーザー等からの臭いを除くように構成したものを例示しているが、キッチンキャビネット１に限らず、トイレ内に設置されたキャビネット或いは洗面キャビネットにも、このような同時給排気装置を構成するファン収容ユニット２を後付けして、キャビネット内の臭いを除去できるように構成することもでき、特に、図５のようなペアチューブを用いることで、キャビネット内へのファン収容ユニット２の後付け施工を容易に行うことができるものとなる。
【図面の簡単な説明】
【００１９】
【図１】部屋内に設けられたキッチンキャビネットの構成図である。
【図２】キッチンキャビネットの扉を開けた拡大正面構成図である。
【図３】キッチンキャビネットの収納空間内に設置されたファン収容ユニットの正面拡大透視図である。
【図４】図３の側面拡大透視図である。
【図５】給気ホースと排気ホースを鞘管内に入れ込んだペアチューブの部分斜視構成図である。
【符号の説明】
【００２０】
１  キッチンキャビネット
１ａ  収納空間
１ｃ  扉
２  ファン収容ユニット（同時給排気装置）
２ａ  上板
２ｂ  底板
２ｃ，２ｄ  側板
２ｅ  背板
２ｆ  前板
２ｇ  仕切板
２ｈ  吹出口
２ｉ  吸込口
３  給気ホース
４  排気ホース
６  換気扇
７  給気ダクト
７ａ  給気ファン
７ｂ  モーター
８  排気ダクト
８ａ  排気ファン
８ｂ  モーター
１０  鞘管
ＨＩ  部屋（屋内）
ＨＯ  屋外
Ｓａ  給気側室
Ｓｂ  排気側室
Ｒａ  給気路
Ｒｂ  排気路
【図１】
2009148437.tif 000003
【図２】
2009148437.tif 000004
【図３】
2009148437.tif 000005
【図４】
2009148437.tif 000006
【図５】
2009148437.tif 000007